【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
複数の誘電体が積層されてなる多層配線基板に設置される対象物の配置を、一連の誘電体からなる部分ごとに設計する作業を支援する設計支援装置であって、
前記複数の誘電体の一つは部品を内蔵可能な特定誘電体であり、
前記特定誘電体の一方の面に隣接する一連の誘電体からなる第１部分に設置される第１対象物の配置に関する第１部分設計情報を、利用者から与えられる指示に応じて管理しその内容を表示する第１支援手段と、
前記特定誘電体の前記第１部分とは反対側に隣接する一連の誘電体からなる第２部分に設置される第２対象物の配置に関する第２部分設計情報を、前記第１支援手段とは別個に、利用者から与えられる指示に応じて管理しその内容を表示する第２支援手段と
を備え、
前記第１支援手段と前記第２支援手段とは、前記第１部分と第２部分とに跨って設置される境界対象物の配置に関する境界設計情報を連携して管理し、それぞれその内容を表示する
ことを特徴とする設計支援装置。
【請求項２】
前記第１対象物は前記第１部分に電気的な接続点を有しかつ前記特定誘電体に内蔵される部品であり、
前記第２対象物は前記第２部分に電気的な接続点を有しかつ前記特定誘電体に内蔵される部品であり、
前記境界対象物は前記特定誘電体に設けられ前記第１部分及び前記第２部分の双方に電気的な接続点を有するビアである
ことを特徴とする請求項１に記載の設計支援装置。
【請求項３】
前記第１支援手段及び前記第２支援手段は、単一のコンピュータによって実現されるか、又はそれぞれ独立したコンピュータによって実現され互いに通信可能に接続されている
ことを特徴とする請求項１に記載の設計支援装置。
【請求項４】
前記第２部分には部品を内蔵できないか又は内蔵を禁止されており、
前記第２支援手段は、前記第２部分に設置される部品の配置に関する指示を、当該指示が前記第２部分の積層方向端部から外部へ向かって設置される部品の配置を示す場合にのみ受け付ける
ことを特徴とする請求項１に記載の設計支援装置。
【請求項５】
前記第１支援手段と前記第２支援手段とは、前記境界設計情報をそれぞれ保持し、
前記第１支援手段と前記第２支援手段とは、自らが保持している境界設計情報に変更があった場合に、当該変更の内容を示す通知情報を他方へ送信する送信部をそれぞれ有し、
前記第１支援手段と前記第２支援手段とは、自らが保持している境界設計情報を、前記通知情報に基づいて、前記変更後の他方の境界設計情報と同一の内容に変更するデータ同期部をそれぞれ有する
ことを特徴とする請求項１に記載の設計支援装置。
【請求項６】
前記第２支援手段は、前記第１対象物が前記第２対象物及び前記境界対象物の一方又は両方の設置の障害になるか、前記第１支援手段と連携して判断する
ことを特徴とする請求項１に記載の設計支援装置。
【請求項７】
前記第２支援手段は、
前記第２対象物の配置に応じた照会情報及び前記境界対象物の配置に応じた照会情報の一方又は両方を前記第１支援手段へ送信する送信部を有し、
前記第１支援手段は、前記第１対象物の設置領域が前記第２対象物の設置領域及び前記境界対象物の設置領域の一方又は両方と交わるか、前記照会情報に基づいて判断する交差判断部と、
前記交差判断部による判断の結果を前記第２支援手段へ返信する返信部と
を有し、
前記第２支援手段は、肯定結果が返信された場合に前記第１対象物が前記障害になると判断する
ことを特徴とする請求項６に記載の設計支援装置。
【請求項８】
前記第１支援手段は、
前記第１対象物の配置に応じた通知情報を前記第２支援手段へ送信する送信部を有し、
前記第２支援手段は、
前記通知情報を記憶する記憶部を有し、
前記第１対象物の設置領域が前記第２対象物の設置領域及び前記境界対象物の設置領域の一方又は両方と交わるか、前記記憶部に記憶されている前記通知情報に基づいて判断し、肯定判断された場合に前記第１対象物が前記障害になると判断する
ことを特徴とする請求項６に記載の設計支援装置。
【請求項９】
前記第２支援手段は、前記第１対象物が前記障害になると判断した場合に、前記第１対象物が前記障害にならない前記第２対象物の配置に関する設計情報及び前記境界対象物の配置に関する設計情報の一方又は両方を生成する
ことを特徴とする請求項６に記載の設計支援装置。
【請求項１０】
前記第２支援手段は、
前記第１対象物が前記障害になると判断した場合に、前記第２対象物の配置に応じた通知情報及び前記境界対象物の配置に応じた通知情報の一方又は両方を前記第１支援手段へ送信する送信部を有し、
前記第１支援手段は、
前記第２対象物及び前記境界対象物の何れの設置の障害にもならない前記第１対象物の配置に関する設計情報を、前記通知情報に基づいて生成する
ことを特徴とする請求項６に記載の設計支援装置。
【請求項１１】
前記第２支援手段は、
前記第２対象物の配置に応じた通知情報を前記第１支援手段へ送信する送信部を有し、
前記第１支援手段は、
前記第２対象物の設置領域が前記第１部分と交わる交差領域を含む領域を対象物の設置が禁止される禁止領域として示す禁止情報を、前記通知情報に基づいて生成する禁止情報生成部を有する
ことを特徴とする請求項１に記載の設計支援装置。
【請求項１２】
前記第２支援手段は、
前記第２対象物の配置に応じた通知情報を前記第１支援手段へ送信する送信部を有し、
前記第１支援手段は、
前記第２対象物の設置領域が前記第１部分と交わる交差領域を含む領域を誘電体の設置が除外される領域として示すくり抜き情報を、前記通知情報に基づいて生成するくり抜き情報生成部を有する
ことを特徴とする請求項１に記載の設計支援装置。
【請求項１３】
前記設計支援装置は、さらに、
前記多層配線基板を構成する複数の誘電体のうち少なくとも１つの誘電体の厚さを、当該誘電体に内蔵される部品の配置に応じて算出する誘電体厚さ算出手段
を備えることを特徴とする請求項１に記載の設計支援装置。
【請求項１４】
前記設計支援装置は、さらに、
前記第１部分又は前記第２部分に設置され一つの外面の周縁部に電気的な接続用のピンを持つ部品について、前記ピンの接続先が単一の部分に含まれるか否かに応じて前記ピンからの配線の引き出し方向を決定する方向決定手段と、
前記ピンから前記決定された引き出し方向へ所定長さ及び所定幅の領域を配線の設置領域として示す配線情報を生成する配線情報生成手段と
を備えることを特徴とする請求項１に記載の設計支援装置。
【請求項１５】
複数の誘電体が積層されてなる多層配線基板に関する設計情報を変換する設計情報変換装置であって、
前記複数の誘電体の一つは部品を内蔵可能な特定誘電体であり、
各誘電体が前記特定誘電体であるか否かを判定する判定手段と、
前記多層配線基板の全体に関する一つの統一設計情報から、前記判定された特定誘電体の一方の面に隣接する一連の誘電体からなる第１部分に設置される第１対象物の配置に関する第１部分設計情報と、前記判定された特定誘電体の前記第１部分とは反対側に隣接する一連の誘電体からなる第２部分に設置される第２対象物の配置に関する第２部分設計情報と、前記第１部分と前記第２部分とに跨って設置される境界対象物の配置に関する境界設計情報とを分離する分離手段と
を備えることを特徴とする設計情報変換装置。
【請求項１６】
複数の誘電体が積層されてなる多層配線基板に設置される対象物の配置を、一連の誘電体からなる部分ごとに設計する作業を支援する設計支援方法であって、
前記複数の誘電体の一つは部品を内蔵可能な特定誘電体であり、
前記特定誘電体の一方の面に隣接する一連の誘電体からなる第１部分に対応する第１支援手段と、前記特定誘電体の前記第１部分とは反対側に隣接する一連の誘電体からなる第２部分に対応する第２支援手段とを用いて行われ、
前記第１支援手段において、前記第１部分に設置される第１対象物の配置に関する第１部分設計情報を、利用者から与えられる指示に応じて管理しその内容を表示する第１支援ステップと、
前記第２支援手段において、前記第２部分に設置される第２対象物の配置に関する第２部分設計情報を、前記第１支援ステップとは別個に、利用者から与えられる指示に応じて管理しその内容を表示する第２支援ステップと、
前記第１支援手段と前記第２支援手段とが連携して、前記第１部分と前記第２部分とに跨って設置される境界対象物の配置に関する境界設計情報を管理し、その内容をそれぞれの支援手段において表示する境界連携ステップと
を含むことを特徴とする設計支援方法。
【請求項１７】
複数の誘電体が積層されてなる多層配線基板に関する設計情報を変換する設計情報変換方法であって、
前記複数の誘電体の一つは部品を内蔵可能な特定誘電体であり、
前記多層配線基板の全体に関する一つの統一設計情報を取得する取得ステップと、
前記取得された統一設計情報を参照して、各誘電体が前記特定誘電体であるか否かを判定する判定ステップと、
前記取得された統一設計情報から、前記判定された特定誘電体の一方の面に隣接する一連の誘電体からなる第１部分に設置される第１対象物の配置に関する第１部分設計情報と、前記判定された特定誘電体の前記第１部分とは反対側に隣接する一連の誘電体からなる第２部分に設置される第２対象物の配置に関する第２部分設計情報と、前記第１部分及び前記第２部分の双方に電気的な接続点を有する境界対象物の配置に関する境界設計情報とを分離する分離ステップと
を含むことを特徴とする設計情報変換方法。
【請求項１８】
複数の誘電体が積層されてなる多層配線基板に設置される対象物の配置を、積層方向に複数の部分を定めて当該部分ごとに設計する作業を支援するためのコンピュータ実行可能なプログラムであって、
前記複数の誘電体の一つは部品を内蔵可能な特定誘電体であり、
前記支援は、単一のコンピュータによって実現されるか、又はそれぞれ独立したコンピュータによって実現され互いに通信可能に接続されている第１支援手段と第２支援手段とを用いて行われ、
前記第１支援手段において、前記第１部分に設置される第１対象物の配置に関する第１部分設計情報を、利用者から与えられる指示に応じて管理しその内容を表示する第１支援ステップと、
前記第２支援手段において、前記第２部分に設置される第２対象物の配置に関する第２部分設計情報を、前記第１支援ステップとは別個に、利用者から与えられる指示に応じて管理しその内容を表示する第２支援ステップと、
前記第１支援手段と前記第２支援手段とが連携して、前記第１部分と前記第２部分とに跨って設置される境界対象物の配置に関する境界設計情報を管理し、その内容をそれぞれの支援手段において表示する境界連携ステップと
を、前記第１支援手段を実現するコンピュータと、前記第２支援手段を実現するコンピュータとに実行させることを特徴とするプログラム。
【請求項１９】
複数の誘電体が積層されてなる多層配線基板に関する設計情報を変換するためのコンピュータ実行可能なプログラムであって、
前記複数の誘電体の少なくとも一つは部品を内蔵可能な特定誘電体であり、
前記多層配線基板の全体に関する一つの統一設計情報を取得する取得ステップと、
前記取得された統一設計情報を参照して、各誘電体が前記特定誘電体であるか否かを判定する判定ステップと、
前記取得された統一設計情報から、前記判定された特定誘電体の一方の面に隣接する一連の誘電体からなる第１部分に設置される第１対象物の配置に関する第１部分設計情報と、前記判定された特定誘電体の前記第１部分とは反対側に隣接する一連の誘電体からなる第２部分に設置される第２対象物の配置に関する第２部分設計情報と、前記第１部分及び前記第２部分の双方に電気的な接続点を有する境界対象物の配置に関する境界設計情報とを分離する分離ステップと
を、コンピュータに実行させることを特徴とするプログラム。
【手続補正２】
【補正対象書類名】明細書
【補正対象項目名】００２７
【補正方法】削除
【補正の内容】
【手続補正３】
【補正対象書類名】明細書
【補正対象項目名】００２８
【補正方法】変更
【補正の内容】
【００２８】
本発明の設計情報変換装置は、複数の誘電体が積層されてなる多層配線基板に関する設計情報を変換する設計情報変換装置であって、前記複数の誘電体の一つは部品を内蔵可能な特定誘電体であり、各誘電体が前記特定誘電体であるか否かを判定する判定手段と、前記多層配線基板の全体に関する一つの統一設計情報から、前記判定された特定誘電体の一方の面に隣接する一連の誘電体からなる第１部分に設置される第１対象物の配置に関する第１部分設計情報と、前記判定された特定誘電体の前記第１部分とは反対側に隣接する一連の誘電体からなる第２部分に設置される第２対象物の配置に関する第２部分設計情報と、前記第１部分と前記第２部分とに跨って設置される境界対象物の配置に関する境界設計情報とを分離する分離手段とを備える。
【手続補正４】
【補正対象書類名】明細書
【補正対象項目名】００２９
【補正方法】変更
【補正の内容】
【００２９】
これらの構成によれば、部分設計情報及び境界設計情報から統一設計情報への変換ができる。部分設計情報及び境界設計情報は設計工程での取り扱いに適し、統一設計情報は製造工程での取り扱いに適するから、これらの設計情報変換装置を用いて、工程ごとに好適な形式の設計情報を用いて作業することが可能となる。
本発明の設計支援方法は、複数の誘電体が積層されてなる多層配線基板に設置される対象物の配置を、一連の誘電体からなる部分ごとに設計する作業を支援する設計支援方法であって、前記複数の誘電体の一つは部品を内蔵可能な特定誘電体であり、前記特定誘電体の一方の面に隣接する一連の誘電体からなる第１部分に対応する第１支援手段と、前記特定誘電体の前記第１部分とは反対側に隣接する一連の誘電体からなる第２部分に対応する第２支援手段とを用いて行われ、前記第１支援手段において、前記第１部分に設置される第１対象物の配置に関する第１部分設計情報を、利用者から与えられる指示に応じて管理しその内容を表示する第１支援ステップと、前記第２支援手段において、前記第２部分に設置される第２対象物の配置に関する第２部分設計情報を、前記第１支援ステップとは別個に、利用者から与えられる指示に応じて管理しその内容を表示する第２支援ステップと、前記第１支援手段と前記第２支援手段とが連携して、前記第１部分と前記第２部分とに跨って設置される境界対象物の配置に関する境界設計情報を管理し、その内容をそれぞれの支援手段において表示する境界連携ステップとを含む。
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】変更
【補正の内容】
【００３７】
この方法に従って、前述した効果と同等の効果を有する設計支援を行うことができる。
【手続補正１３】
【補正対象書類名】明細書
【補正対象項目名】００３８
【補正方法】変更
【補正の内容】
【００３８】
本発明の設計情報変換方法は、複数の誘電体が積層されてなる多層配線基板に関する設計情報を変換する設計情報変換方法であって、前記複数の誘電体の一つは部品を内蔵可能な特定誘電体であり、前記多層配線基板の全体に関する一つの統一設計情報を取得する取得ステップと、前記取得された統一設計情報を参照して、各誘電体が前記特定誘電体であるか否かを判定する判定ステップと、前記取得された統一設計情報から、前記判定された特定誘電体の一方の面に隣接する一連の誘電体からなる第１部分に設置される第１対象物の配置に関する第１部分設計情報と、前記判定された特定誘電体の前記第１部分とは反対側に隣接する一連の誘電体からなる第２部分に設置される第２対象物の配置に関する第２部分設計情報と、前記第１部分及び前記第２部分の双方に電気的な接続点を有する境界対象物の配置に関する境界設計情報とを分離する分離ステップとを含む。
【手続補正１４】
【補正対象書類名】明細書
【補正対象項目名】００３９
【補正方法】変更
【補正の内容】
【００３９】
この方法に従って、前述した効果と同等の効果を有する設計情報変換を行うことができる。
本発明のプログラムは、複数の誘電体が積層されてなる多層配線基板に設置される対象物の配置を、積層方向に複数の部分を定めて当該部分ごとに設計する作業を支援するためのコンピュータ実行可能なプログラムであって、前記複数の誘電体の少なくとも一つは部品を内蔵可能な特定誘電体であり、前記支援は、単一のコンピュータによって実現されるか、又はそれぞれ独立したコンピュータによって実現され互いに通信可能に接続されている第１支援手段と第２支援手段とを用いて行われ、前記第１支援手段において、前記第１部分に設置される第１対象物の配置に関する第１部分設計情報を、利用者から与えられる指示に応じて管理しその内容を表示する第１支援ステップと、前記第２支援手段において、前記第２部分に設置される第２対象物の配置に関する第２部分設計情報を、前記第１支援ステップとは別個に、利用者から与えられる指示に応じて管理しその内容を表示する第２支援ステップと、前記第１支援手段と前記第２支援手段とが連携して、前記第１部分と前記第２部分とに跨って設置される境界対象物の配置に関する境界設計情報を管理し、その内容をそれぞれの支援手段において表示する境界連携ステップとを、前記第１支援手段を実現するコンピュータと、前記第２支援手段を実現するコンピュータとに実行させる。
【手続補正１５】
【補正対象書類名】明細書
【補正対象項目名】００４０
【補正方法】変更
【補正の内容】
【００４０】
本発明のプログラムは、複数の誘電体が積層されてなる多層配線基板に関する設計情報を変換するためのコンピュータ実行可能なプログラムであって、前記複数の誘電体の一つは部品を内蔵可能な特定誘電体であり、前記多層配線基板の全体に関する一つの統一設計情報を取得する取得ステップと、前記取得された統一設計情報を参照して、各誘電体が前記特定誘電体であるか否かを判定する判定ステップと、前記取得された統一設計情報から、前記判定された特定誘電体の一方の面に隣接する一連の誘電体からなる第１部分に設置される第１対象物の配置に関する第１部分設計情報と、前記判定された特定誘電体の前記第１部分とは反対側に隣接する一連の誘電体からなる第２部分に設置される第２対象物の配置に関する第２部分設計情報と、前記第１部分及び前記第２部分の双方に電気的な接続点を有する境界対象物の配置に関する境界設計情報とを分離する分離ステップとをコンピュータに実行させる。
これらのプログラムをコンピュータに実行させることによって、当該コンピュータを用いて前記術した効果と同等の効果を有する設計支援方法、及び設計情報変換方法を実施することができる。
【手続補正１６】
【補正対象書類名】図面
【補正対象項目名】図１７
【補正方法】変更
【補正の内容】
【図１７】
2005234701.tif 000001